(57)【要約】【課題】構成の小型化を図った加熱装置及びそれを備えた髪ケア装置を提供することを課題とする。【解決手段】所定の電力を供給する電源部１と、第１の電力供給路を介して電源部１から電力の供給を受けて加熱する加熱部４、第１の電力供給路に挿入されて、加熱部４に電力を選択的に供給する電力制御スイッチ部６と、第２の電力供給路を介して電源部１から電力の供給を受けて、電力制御スイッチ部６における選択的な電力の供給を制御する制御部３と、第２の電力供給路に挿入されて、制御部３に電力を選択的に供給する本体スイッチ部２とを備えて構成される。【選択図】図１
2011005152.tif 000002
【特許請求の範囲】
【請求項１】
所定の電力を供給する電源部と、
第１の電力供給路を介して前記電源部から電力の供給を受けて加熱する加熱部と、
前記第１の電力供給路に挿入されて、前記加熱部に電力を選択的に供給する電力制御スイッチ部と、
第２の電力供給路を介して前記電源部から電力の供給を受けて、前記電力制御スイッチ部における選択的な電力の供給を制御する制御部と、
前記第２の電力供給路に挿入されて、前記制御部に電力を選択的に供給する第１のスイッチ部と
を有することを特徴とする加熱装置。
【請求項２】
前記電源部と前記第１のスイッチ部との間に挿入され、前記電源部から供給される電圧を降圧する第１の降圧部
を有することを特徴とする請求項１に記載の加熱装置。
【請求項３】
前記第１のスイッチ部の前に、前記第１のスイッチ部に印加される電圧を降圧する第２の降圧部
を有することを特徴とする請求項２に記載の加熱装置。
【請求項４】
前記第２の電力供給路に挿入されて、前記制御部に電力を選択的に供給する第２のスイッチ部を有し、
前記第１のスイッチ部がオフ状態からオン状態に移行するのに連動して前記第２のスイッチ部はオフ状態からオン状態に移行し、その後前記第１のスイッチ部がオン状態からオフ状態に移行すると前記第２のスイッチ部はオン状態を保持し、その後前記第１のスイッチ部がオフ状態からオン状態に移行した後オフ状態に移行すると前記第２のスイッチ部はオフ状態となる
ことを特徴とする請求項３に記載の加熱装置。
【請求項５】
前記第１のスイッチ部ならびに前記第２のスイッチ部がオフ状態のときに、前記電力制御スイッチ部が短絡故障している場合には、前記制御部に電力を供給する故障時電力供給部と、
前記電力制御スイッチ部の短絡故障を外部に報知する報知部とを有し、
前記制御部は、前記故障時電力供給部により電力が供給された場合には、前記電力制御スイッチ部が短絡故障しているものと判別し、前記報知部に短絡故障の報知を指令する
ことを特徴とする請求項４に記載の加熱装置。
【請求項６】
前記加熱部の温度を検出する温度検出部と、
前記温度検出部で検出された前記加熱部の温度が予め設定された温度以上である場合には、前記加熱部への電力の供給を遮断する電力遮断部と
を有することを特徴とする請求項５に記載の加熱装置。
【請求項７】
前記請求項１〜６のいずれか１項に記載の加熱装置を備えた
ことを特徴とする髪ケア装置。
【発明の詳細な説明】
【技術分野】
【０００１】
本発明は、本体スイッチ部を介して加熱部を制御する制御部に電源を供給制御する加熱装置及びそれを備えた髪ケア装置に関する。
【背景技術】
【０００２】
従来、この種の技術としては、例えば以下に示す文献に記載されたものが知られている（特許文献１参照）。 この文献１には、電源電圧を発生するバッテリーにそのバッテリーの電源電圧を印加するヒーターを接続する車載用電気暖房の制御回路において、バッテリーの電源電圧を監視し、この電源電圧が規定値以下に下がった時に、ヒーターへの電源電圧の供給のオン／オフを行うリレーを有する電源電圧監視回路をバッテリーとヒーターとの間に設けた技術が記載されている。
【先行技術文献】
【特許文献】
【０００３】
【特許文献１】特開平７−３２９５４５号公報
【発明の概要】
【発明が解決しようとする課題】
【０００４】
上記従来の技術においては、バッテリとヒーターへの通電を制御するリレーとの間にメインスイッチが直列接続されて設けられ、このメインスイッチによりバッテリーからの電源の供給が制御されていた。このような構成においては、バッテリーからヒーターへ供給されるヒーターの駆動電流がメインスイッチに流れるため、定格電流の大きなメインスイッチが必要になっていた。このため、メインスイッチのサイズが大きくなり、装置の構成が大型化するといった不具合を招くおそれがあった。
【０００５】
そこで、本発明は、上記に鑑みてなされたものであり、その目的とするところは、構成の小型化を図った加熱装置及びそれを備えた髪ケア装置を提供することにある。
【課題を解決するための手段】
【０００６】
請求項１の発明にあっては、所定の電力を供給する電源部と、第１の電力供給路を介して電源部から電力の供給を受けて加熱する加熱部と、第１の電力供給路に挿入されて、加熱部に電力を選択的に供給する電力制御スイッチ部と、第２の電力供給路を介して電源部から電力の供給を受けて、電力制御スイッチ部における選択的な電力の供給を制御する制御部と、第２の電力供給路に挿入されて、制御部に電力を選択的に供給する第１のスイッチ部とを有することを特徴とする。
【０００７】
請求項２の発明にあっては、請求項１の発明において、電源部と前記第１のスイッチ部との間に挿入され、電源部から供給される電圧を降圧する第１の降圧部を有することを特徴とする。
【０００８】
請求項３の発明にあっては、請求項２の発明において、第１のスイッチ部の前に、第１のスイッチ部に印加される電圧を降圧する第２の降圧部を有することを特徴とする。
【０００９】
請求項４の発明にあっては、請求項３の発明において、第２の電力供給路に挿入されて、制御部に電力を選択的に供給する第２のスイッチ部を有し、第１のスイッチ部がオフ状態からオン状態に移行するのに連動して第２のスイッチ部はオフ状態からオン状態に移行し、その後第１のスイッチ部がオン状態からオフ状態に移行すると第２のスイッチ部はオン状態を保持し、その後第１のスイッチ部がオフ状態からオン状態に移行した後オフ状態に移行すると第２のスイッチ部はオフ状態となることを特徴とする。
【００１０】
請求項５の発明にあっては、請求項４の発明において、第１のスイッチ部ならびに第２のスイッチ部がオフ状態のときに、電力制御スイッチ部が短絡故障している場合には、制御部に電力を供給する故障時電力供給部と、電力制御スイッチ部の短絡故障を外部に報知する報知部とを有し、制御部は、故障時電力供給部により電力が供給された場合には、電力制御スイッチ部が短絡故障しているものと判別し、報知部に短絡故障の報知を指令することを特徴とする。
【００１１】
請求項６の発明にあっては、請求項５の発明において、加熱部の温度を検出する温度検出部と、温度検出部で検出された加熱部の温度が予め設定された温度以上である場合には、加熱部への電力の供給を遮断する電力遮断部とを有することを特徴とする。
【００１２】
請求項７の発明にあっては、髪ケア装置に請求項１〜６のいずれか１項の発明の加熱装置を備えていることを特徴とする。
【発明の効果】
【００１３】
請求項１の発明によれば、加熱部が通電している場合に、加熱部に供給される駆動電流は第１のスイッチ部には流れないので、第１のスイッチ部の定格電流を低減することが可能となり、第１のスイッチ部を小型化することができる。
【００１４】
請求項２によれば、第１の降圧部により降圧された電圧が制御部に供給されるので、制御部の定格電圧を低減することが可能となり、制御部を小型化することができる。
【００１５】
請求項３によれば、第２の降圧部により降圧された電圧が第１のスイッチ部ならびに制御部に供給されるので、第１のスイッチ部ならびに制御部の定格電圧を低減することが可能となり、第１のスイッチ部ならびに制御部を小型化することができる。
【００１６】
請求項４によれば、第１のスイッチ部がオフ状態でも第２のスイッチ部を介して制御部に電力を供給することが可能となるので、プッシュ型スイッチで第１のスイッチ部を構成することが可能となり、第１のスイッチ部を小型化することができる。
【００１７】
請求項５によれば、第１ならびに第２のスイッチ部がオフ状態にあっても、電力制御スイッチ部の短絡故障を検出して報知することが可能となる。  
請求項６によれば、加熱部の温度が予め設定された温度以上に上昇した場合には、加熱部への電力の供給を遮断することが可能となり、過加熱を防止することができる。
【００１８】
請求項７によれば、構成の小型化を図った髪ケア装置を提供することができる。
【図面の簡単な説明】
【００１９】
【図１】本発明の実施例１に係る加熱装置の構成を示すブロック図である。
【図２】図１に示す装置の具体的な一構成例を示す図である。
【図３】図２に示す装置構成における加熱部の温度制御の様子を示す図である。
【図４】本発明の実施例２に係る加熱装置の具体的な一構成例を示す図である。
【図５】図４に示す装置における制御部に印加される電圧の変化を示す図である。
【図６】本発明の実施例３に係る加熱装置の具体的な一構成例を示す図である。
【図７】図６に示す装置における本体スイッチ部前段における電圧の変化を示す図である。
【図８】本発明の実施例４に係る加熱装置の具体的な一構成例を示す図である。
【図９】図８に示す装置における制御部電流Ｉｄｄの供給の様子を示す図である。
【図１０】本発明の実施例５に係る加熱装置の具体的な一構成例を示す図である。
【図１１】本発明の実施例６に係る加熱装置の具体的な一構成例を示す図である。
【図１２】本発明の実施例７に係る髪ケア装置としてのヘアドライヤの構成を示す断面図である。
【図１３】本発明の実施例７に係る髪ケア装置としてのヘアアイロンの構成を示す側面図ならびに断面図である。
【図１４】本発明の実施例７に係る髪ケア装置としてのヘアブラシの構成を示す断面図である。
【発明を実施するための形態】
【００２０】
以下、図面を用いて本発明を実施するための実施例を説明する。
【実施例１】
【００２１】
図１は本発明の実施例１に係る加熱装置の構成を示すブロック図である。図１に示す実施例１の加熱装置は、電源部１、本体（第１の）スイッチ部２、制御部３、加熱部４、温度検出部５ならびに電力制御スイッチ部６を備えて構成されている。
【００２２】
電源部１は、予め設定された電力の直流電源を備えて構成され、もしくは交流電源を受けて構成され、装置全体に電源を供給する。本体スイッチ部２は、電源部１と制御部３との間に接続され、スイッチのオン／オフにより電源部１から制御部３への電源の供給をスイッチング制御する。制御部３は、本体スイッチ部２を介して電源部１から電源の供給を受けて、加熱部４の温度に基づいて電力制御スイッチ部６のスイッチング（オン／オフ）を制御することで、加熱部４に供給される駆動電流を制御する。加熱部４は、制御部３の制御の下に、電力制御スイッチ部６を介して電源部１から駆動電流が供給されて、予め設定された温度となるように発熱して加熱する。温度検出部５は、加熱部４の温度を検出し、検出した温度を制御部３に与える。電力制御スイッチ部６は、電源部１に直接接続されて、制御部３の制御の下に加熱部４への電源の供給をスイッチング制御する。
【００２３】
図２は図１に示す加熱装置の具体的な一構成例を示す図である。図２において、加熱装置の電源部１は所定の電力を供給する直流電源ＶＣＣで構成され、本体スイッチ部２は、例えばスライド式のスイッチＳＷ１で構成されている。制御部３は、プログラムに基づいて各種動作処理を制御するコンピュータに必要な、ＣＰＵ、記憶装置、入出力装置等の資源を備えたマイクロコンピュータ（マイコン）Ｍ１を備えて構成されている。また、制御部３は、直流電源ＶＣＣとの間で温度検出部５と直列に接続された抵抗Ｒ１を備えている。
【００２４】
加熱部４は抵抗Ｒで構成されている。温度検出部５は、サーミスタＲ２で構成され、直流電源ＶＣＣの電圧が抵抗Ｒ１とサーミスタＲ２とで分圧されて抵抗Ｒ１とサーミスタＲ２との直列接続点で得られた分圧電圧が温度検出信号としてマイコンＭ１に与えられる。電力制御スイッチ部６は、加熱部４と直流電源ＶＣＣとの間に接続されたサイリスタＱで構成され、サイリスタＱはゲート電流がマイコンＭ１で制御されることでスイッチング制御される。
【００２５】
このような構成において、本体スイッチ部２のスライドスイッチＳＷ１がオフ状態からオン状態にスイッチングされて導通状態になると、直流電源ＶＣＣから予めマイコンＭ１に設定された定格電流がマイコンＭ１に供給されてマイコンが動作状態となる。その後、直流電源ＶＣＣの電圧が抵抗Ｒ１とサーミスタＲ２とで分圧された分圧電圧がマイコンＭ１に与えられ、この分圧電圧と、電圧値に換算された加熱部４の設定温度（加熱目標温度）とがマイコンＭ１で比較される。設定温度は予め所定の値として決められマイコンＭ１の記憶装置等に記憶されて保持されている。
【００２６】
比較の結果、サーミスタＲ２で検出された温度が上記設定温度以下の場合には、図３に示すように、Ｈ（ハイ）レベルのスイッチング制御信号がマイコンＭ１からサイリスタＱに与えられる。これにより、サイリスタＱは非導通状態から導通状態となり、直流電源ＶＣＣから加熱部４の抵抗Ｒに駆動電流が供給される。これにより、加熱部４は発熱して、図３に示すように加熱部４の温度は常温から徐々に昇温する。
【００２７】
このような状態において、サーミスタＲ２で検出された加熱部４の温度が予め決められた所定の設定温度以上に至ると、マイコンＭ１からサイリスタＱに与えられるスイッチング制御信号はＨレベルからＬ（ロウ）レベルとなり、サイリスタＱは導通状態から非導通状態に移行する。これにより、加熱部４への駆動電流の供給が遮断されて発熱が停止し、加熱部４が降温する。このように、サイリスタＱをスイッチング制御することで直流電源ＶＣＣから加熱部４に供給される駆動電流を供給／遮断することで、加熱部４を設定温度に保持するようにしている。
【００２８】
上記実施例１においては、本体スイッチ部２を介することなく、電力制御スイッチ部６を介して電源部１から加熱部４に直接駆動電流が供給される構成を採用しているので、本体スイッチ部２に加熱部４に供給される駆動電流が通電されることは回避される。これにより、本体スイッチ部２には、加熱部４に供給される駆動電流に比べて少ないマイコンＭ１の動作電流が通電されることになる。したがって、加熱部４の駆動電流が通電される場合に比べて定格電流の小さなスイッチで本体スイッチ部２を構成することが可能となり、構成を小型化することができる。
【００２９】
また、本体スイッチ部２がオフされて装置が非動作状態のときには、電源部１から装置全体に電力が供給されないので、待機電力を削減することができる。さらに、本体スイッチ部２がオフされて装置が非動作状態のときには、制御部３にも電力が供給されないので、制御部３がノイズ等の影響を受けて誤動作するおそれを回避することができる。
【実施例２】
【００３０】
図４は本発明の実施例２に係る加熱装置の構成を示す図である。図４に示す実施例２の加熱装置の特徴とするところは、先の実施例１の装置に比べて、電源部１を商用等の交流電源を受ける構成とすることに加えて第１の降圧部７を設けたことにあり、他は先の実施例１と同様である。なお、実施例２を含む以下で説明する各実施例で参照する図面において、先の実施例１で参照した図面と同符号のものは同一機能を有するものである。
【００３１】
電源部１は、商用等の交流電源を受けて、交流電力を整流、平滑化して直流電力を生成し、先の実施例１と同様に直流電力を出力する。
【００３２】
第１の降圧部７は、電源部１と本体スイッチ部２との間に接続された例えば抵抗Ｒで構成され、電源部１から出力される直流電圧を、制御部３を構成するマイコンＭ１の電源電圧となる例えば５Ｖ程度に降圧する。
【００３３】
このように、第１の降圧部７を設けることで、本体スイッチ部２がオンして装置が動作状態にあるときには、図５に示すように電源部１から出力された直流電圧（電源部出力電圧）を降圧した降圧電圧（制御部印加電圧）が制御部３に供給される。これにより、制御部３の定格電圧を下げることが可能となり、制御部３を構成する回路を小型化できることに加えて安価に構成することが可能となる。
【実施例３】
【００３４】
図６は本発明の実施例３に係る加熱装置の構成を示す図である。図６に示す実施例３の加熱装置の特徴とするところは、先の実施例２の構成に比べて、第２の降圧部８を設けたことにあり、他は先の実施例２と同様である。
【００３５】
第２の降圧部８は、本体スイッチ部２への電流を制御するトランジスタＱ１と、本体スイッチ部２に与えられる電圧を分圧する抵抗Ｒ４、Ｒ５と、トランジスタＱ１のバイアス抵抗Ｒ６と、抵抗Ｒ４、Ｒ５で分圧された電圧に基づいてトランジスタＱ１をスイッチング制御するトランジスタＱ２とを備えて構成されている。
【００３６】
このような構成において、本体スイッチ部２がオフ状態においては、電源部１から第１の降圧部９ならびにバイアス抵抗Ｒ６を介してトランジスタＱ１にベース電流が供給されてトランジスタＱ１が導通状態となり、本体スイッチ部２の前段の電圧ＶＳＷ１が上昇する。この電圧ＶＳＷ１が上昇し、電圧ＶＳＷ１を抵抗Ｒ４、Ｒ５で分圧した電圧がトランジスタＱ２のベース電圧よりも高くなると、トランジスタＱ２が導通状態となり、トランジスタＱ１が非導通状態となる。トランジスタＱ１が非導通状態となり、本体スイッチ部２の前段の電圧ＶＳＷ１が低下し、電圧ＶＳＷ１を抵抗Ｒ４、Ｒ５で分圧した電圧がトランジスタＱ２のベース電圧よりも低くなると、トランジスタＱ２が非導通状態となり、トランジスタＱ１が導通状態となる。このような動作が繰り返されることで、図７に示すように本体スイッチ部２の前段の電圧ＶＳＷ１が決まる。
【００３７】
このような状態において、本体スイッチ部２がオンすると、所定の制御部電流Ｉｄｄが本体スイッチ部２を介して制御部３に供給される。
【００３８】
このように、上記実施例３においては、抵抗Ｒ４、Ｒ５を適切に設定することで、本体スイッチ部２がオフしているときでも、本体スイッチ部２の前段に印加される電圧ＶＳＷ１を電源部１の出力電圧よりも低く設定することが可能となる。これにより、本体スイッチ部２や制御部３の定格電圧を下げることが可能となり、本体スイッチ部２や制御部３の構成を小型化することができる。
【実施例４】
【００３９】
図８は本発明の実施例４に係る加熱装置の構成を示す図である。図８に示す実施例４の加熱装置の特徴とするところは、先の実施例３の構成に比べて、第２のスイッチ部９を設け、押圧を解除するとオフする押しボタン式のプッシュ型スイッチＳＷ２（例えばタクトスイッチ（商品名））で本体スイッチ部２を構成したことにあり、他は先の実施例３と同様である。
【００４０】
第２のスイッチ部９は、第２の降圧部８と制御部３とを導通制御するトランジスタＱ３と、トランジスタＱ３のベース端子と本体スイッチ部２との間に挿入されたダイオードＤ１と、制御部３のマイコンＭ１に流れ込む電流を防止するダイオードＤ２と、トランジスタＱ３の導通状態を保持するトランジスタＱ４とを備えて構成されている。
【００４１】
このような構成において、本体スイッチ部２のプッシュ型スイッチＳＷ２が押下されると、トランジスタＱ３はベース電流が流れて導通状態となり、ダイオードＤ２のカソード側がロウレベルとなる。マイコンＭ１は、これを検出することでプッシュ型スイッチＳＷ２が押下されたことを判別する。これにより、マイコンＭ１は、トランジスタＱ４にハイレベルのスイッチング信号ＶＱ４を出力し、トランジスタＱ４は導通状態となる。これにより、プッシュ型スイッチＳＷ２の押圧が解除されて本体スイッチ部２がオフした場合であっても、トランジスタＱ３は導通状態を保持する。したがって、導通状態のトランジスタＱ３を介して制御部電流Ｉｄｄが制御部３に供給される。
【００４２】
このような状態において、プッシュ型スイッチＳＷ２が再び押下されてオンすると、マイコンＭ１は、先と同様にしてプッシュ型スイッチＳＷ２が押下されたことを判別し、トランジスタＱ４に与えているハイレベルのスイッチング信号ＶＱ４をロウレベルに変化させる。これにより、トランジスタＱ４は非導通状態となり、プッシュ型スイッチＳＷ２の押圧が解除されると、トランジスタＱ３が非導通状態となり、制御部３への制御部電流Ｉｄｄの供給が停止する。
【００４３】
このように、この実施例４においては、プッシュ型スイッチＳＷ２のオン／オフと制御部電流Ｉｄｄとの関係を示す図９に示すように、制御部３に電流を供給し続ける場合であっても、本体スイッチ部２をオン状態に保持する必要はなくなる。これにより、小型化されたプッシュ型スイッチＳＷ２で本体スイッチ部２を構成することが可能となり、構成の小型化を図ることができる。
【実施例５】
【００４４】
図１０は本発明の実施例５に係る加熱装置の構成を示す図である。図１０に示す実施例５の加熱装置の特徴とするところは、先の実施例４の構成に比べて、逆流防止用のダイオードＤ３と、電力制御スイッチ部６の異常を報知する報知手段として機能するＬＥＤ１０を設けたことにあり、他は先の実施例４と同様である。
【００４５】
ダイオードＤ３は、電力制御スイッチ部６を構成するサイリスタＱのアノード端子とトランジスタのベース端子との間に抵抗を含んで挿入されている。
【００４６】
ＬＥＤ１０は、第２のスイッチ部９と制御部３のマイコンＭ１との間に接続され、マイコンＭ１がサイリスタＱの短絡異常を検出した場合には、点灯してその異常を報知する。
【００４７】
すなわち、本体スイッチ部２を構成するプッシュ型スイッチＳＷ２が押下されていない場合であっても、サイリスタＱが短絡している場合には、ダイオードＤ３ならびにサイリスタＱを介してトランジスタＱ３にベース電流が流れることになる。これにより、トランジスタＱ３が導通状態となり、本体スイッチ部２がオンされていないにもかかわらずマイコンＭ１には電源が供給されて動作状態となる。マイコンＭ１は、このような状態をサイリスタＱが短絡していると判別し、ＬＥＤ１０を点灯させてサイリスタＱの短絡故障を装置外部に報知する。
【００４８】
一方、サイリスタＱが正常で短絡していない場合には、ダイオードＤ３に電流が流れることはないので、本体スイッチ部２がオフ状態であればマイコンＭ１は非動作状態となり、ＬＥＤ１０は非点灯状態となる。また、加熱部４に駆動電流が供給されている場合に、ダイオードＤ３により加熱部４の駆動電流が第２のスイッチ部９に流れ込むことは回避される。
【００４９】
本体スイッチ部２がオフしている状態であっても、電力制御スイッチ部６が短絡故障している場合には、電源部１から加熱部４に駆動電流が供給され、加熱部４が加熱状態になってします。しかし、上記実施例５では、電力制御スイッチ部６の短絡故障を報知することが可能となるので、誤って高温の加熱部４に触れて火傷等の事故を未然に防ぐことができる。
【実施例６】
【００５０】
図１１は本発明の実施例５に係る加熱装置の構成を示す図である。図１１に示す実施例６の加熱装置の特徴とするところは、先の実施例５の構成に比べて、温度ヒューズ１１を設けたことにあり、他は先の実施例５と同様である。
【００５１】
温度ヒューズ１１は、加熱部４の温度を検出することが可能な位置に配置され、加熱部４の温度が予め設定された遮断温度以上に昇温したときに加熱部４への駆動電流の供給を遮断する。ここで、温度ヒューズ１１の遮断温度は、加熱部４の通常の温度制御時や温度制御におけるオーバーシュート時の温度上昇分を考慮して、通常使用時には遮断しない程度の温度に設定される。
【００５２】
このように、上記実施例６では、上記実施例５と同様の効果を得ることができる。
【実施例７】
【００５３】
図１２〜図１４は本発明の加熱装置を搭載した髪ケア装置の構成を示す図であり、図１２はヘアドライヤの断面図、図１３（ａ）はヘアアイロンの側面図、同図（ｂ）は同図（ａ）に示すヘアアイロンの断面図、図１４はヘアブラシの断面図である。
【００５４】
図１２において、髪ケア装置としてのヘアドライヤは、その外壁をなすケース１２の内部に空洞が形成され、この空洞内に本発明の加熱装置を構成する電気部品１３が配置収納され、これらの電気部品１３には電源コード１４を介して与えられた商用電源が供給され、使用者が手で握る把持部１５に設けられた本体スイッチ部２で電源のオン／オフが操作される。出口開口部１６から吹き出される空気を温める加熱部４は、例えば帯状かつ波板状の電気抵抗体を内筒１７の内周に沿って巻回して配置形成されている。
【００５５】
図１３において、髪ケア装置としてのヘアアイロンは、回動連結部１８を介して略Ｖ字状に拡開可能な二つのアーム部１９ａ、１９ｂを備えており、そのアーム部１９ａ、１９ｂの先端側の挟持部２０に髪を挟み込んで加熱部４で加熱して整髪する。ヘアアイロンの外壁をなすケース２１の内部には空洞が形成され、この空洞内に本発明の加熱装置を構成する電気部品２２が配置収納され、これらの電気部品２２には電源コード２３を介して与えられた商用電源が供給され、使用者が手で握るアーム部１９ｂに設けられた本体スイッチ部２で電源のオン／オフが操作される。
【００５６】
図１４において、髪ケア装置としてのヘアブラシは、棒状に形成されており、使用者が把持部２４を持って先端部２５に設けられたブラシ部２６を髪に当てて整髪する。ヘアブラシの外壁をなすケース２７の内部には空洞が形成され、この空洞内に本発明の加熱装置を構成する電気部品２８が配置収納され、これらの電気部品２８には電源コード２９を介して与えられた商用電源が供給され、把持部２４に設けられた本体スイッチ部２で電源のオン／オフが操作される。ブラシ部２６の複数のブリッスル３０の根本には吹出孔３１が形成され、ファン３２によってこの吹出孔３１から吹き出される空気を温める加熱部４は、ケース２７の内部に形成された空洞内に配置されている。
【００５７】
このように、上記各実施例１〜６で説明した本発明の加熱装置を上記髪ケア装置に搭載することで、髪ケア装置の構成を小型化できることに加えて、待機電力が少なく、安価な髪ケア装置を提供することが可能となる。
【符号の説明】
【００５８】
１…電源部
２…本体スイッチ部
３…制御部
４…加熱部
５…温度検出部
６…電力制御スイッチ部
７…第１の降圧部
８…第２の降圧部
９…第２のスイッチ部
１０…ＬＥＤ
１１…温度ヒューズ
【図１】
2011005152.tif 000003
【図２】
2011005152.tif 000004
【図３】
2011005152.tif 000005
【図４】
2011005152.tif 000006
【図５】
2011005152.tif 000007
【図６】
2011005152.tif 000008
【図７】
2011005152.tif 000009
【図８】
2011005152.tif 000010
【図９】
2011005152.tif 000011
【図１０】
2011005152.tif 000012
【図１１】
2011005152.tif 000013
【図１２】
2011005152.tif 000014
【図１３】
2011005152.tif 000015
【図１４】
2011005152.tif 000016